(57)【特許請求の範囲】
【請求項１】
２色ＬＥＤが発光するそれぞれの光を１つの導光体によって筐体の外部に導くようにした２色ＬＥＤ表示構造を備えた電子機器であって、
前記２色ＬＥＤのうち一方の色のＬＥＤの発光部分を前記導光体の中心に一致する位置に配置し、他方の色のＬＥＤは前記導光体の中心から外れた位置に設け、
前記導光体の中心から外れているＬＥＤに流れる電流を前記発光部分がその導光体の中心に一致するように配したＬＥＤに流れる電流よりも大きくすることにより、その導光体の中心から外れている前記ＬＥＤの輝度を発光部分が前記導光体の中心に一致するように配したＬＥＤの輝度よりも高くして前記導光体により筐体の外部に導かれた前記２色ＬＥＤによる明るさが均一になるようにしたことを特徴とする２色ＬＥＤ表示構造を備えた電子機器。
【発明の詳細な説明】
【０００１】
【発明の属する技術分野】
本発明は、電子機器の動作状況や電源の状態などを表示する２色ＬＥＤ表示構造を備えた電子機器に関する。
【０００２】
【従来の技術】
最近の電子機器の多くは、動作状況を外部から確認するために、幾つかの発光ダイオード（以下  ＬＥＤと呼ぶ）が装備されている。これによりハードディスクやフロッピーディスクのアクセス状況、またバッテリーの充電状況等を外部から確認できるようになっている。
【０００３】
よく使用されるＬＥＤの中には、２素子（２色）のＬＥＤが１つのパッケージで構成されているものがある。例えば赤と緑の２色ならば、１つのパッケージで赤、緑、そして両色発光させてオレンジ色と合計３色の表現が可能となる。
【０００４】
ＬＥＤの実装方法としては内部の回路基板上に実装し、回路基板を覆う筐体とＬＥＤとの間を透明もしくは乳白色の透過性のある素材からなる導光体を用いてＬＥＤの光を導き、その光を筐体外部より目視できるように構成されることが一般的である。この場合、導光体の距離がある程度長ければ、発光している２色のＬＥＤの色が混ざって見えるが、距離が短いと２色のＬＥＤが発光する夫々の色が分離し表面からは２色が部分的に混ざった不均一な色に見える場合がある。
【０００５】
図２は、従来の情報処理装置におけるＬＥＤ及び導光体の構成を示した断面図である。
【０００６】
図２に示すように、プリント基板２０１上にＬＥＤ２０２、２０３が実装され、そのＬＥＤの光を筐体外部に導くための導光体２０４、２０５が筐体２０６に取りつけられた構成の情報処理装置において、導光体の長さが図のように十分長ければ、ＬＥＤ２０２のように２色共同時発光させても筐体外部からは均一に混ざった色、すなわちオレンジ色が見える。
【０００７】
【発明が解決しようとする課題】
しかしながら最近の電子機器においては、モバイルパソコンに代表されるように小型軽量を特徴とする商品が多くなり、これら小型軽量化に伴い基板上に実装したＬＥＤと筐体外側との距離が短くなる傾向にある。このことにより２色からなるＬＥＤを同時点灯すると乳白色等の導光体を通して各々の色が混ざった一つの色に見えるべきところが、別々の色がはっきりと見えたり中途半端に混ざった不均一な色になってしまうため外観を損なう要因となっていた。
【０００８】
図３は、従来の薄型情報処理装置におけるＬＥＤ及び導光体の構成を示した断面図である。図３に示すように導光体３０４、３０５が短いと、ＬＥＤ３０２のように２色同時発光させると筐体外部からは導光体の中に２色の光が別々に見えてしまう。
【０００９】
本発明は、前述の従来の課題を解決して、短い導光体を用いてもＬＥＤの２つの色が均一に混ざって見える外観の優れた２色ＬＥＤ表示構造を備えた電子機器を提供することにある。
【００１０】
【課題を解決するための手段】
上記課題を解決するために本発明は、２色のＬＥＤのうち一方の色のＬＥＤの発光部分を導光体の中心に一致する位置に配置し、他方の色のＬＥＤは導光体の中心から少し外れた位置に設ける。導光体の中心から外れた方のＬＥＤは導光体による光の伝達にロスが発生し少し暗く感じられるので、この他方のＬＥＤの輝度を前記一方の色のＬＥＤの輝度より少し高くし、それぞれ別に発光しているときに見える明るさを均一にするようにしたものである。
【００１１】
この構成によれば、２色ＬＥＤの両方の色が発光している状態において、ユーザーが装置の外部からＬＥＤ表示を見たときに、一つの導光体を通して見える光は２色が別々に見えることは無く、混ざった色になっており違和感を生じる事はない。
【００１２】
【発明の実施の形態】
本発明は、色の異なる発光素子からなる２色ＬＥＤのうち一方の色のＬＥＤの発光部分を導光体の中心に一致する位置に配置し、他方の色のＬＥＤは導光体の中心から少し外れた位置に設ける。これにより従来ＬＥＤを同時発光させた時に、一つの導光体から複数の光が別々に見えて違和感のあったものが改善される。
【００１３】
また、本発明は、色の異なる発光素子からなる２色ＬＥＤのうち一方の色のＬＥＤの発光部分を導光体の中心に一致する位置に配置し、他方の色のＬＥＤは導光体の中心から少し外れた位置に設けたことを特徴とする２色ＬＥＤ表示構造を備えた電子機器であって、これにより、前記電子機器を薄型の構成にすることができる。
【００１４】
また、本発明は、前記導光体の中心から外れているＬＥＤの輝度を導光体の中心に発光部分が一致するように配したＬＥＤの輝度に比べて高くしたことを特徴とするもので、これにより各色が同時発光ではなく別々に発光している時に、筐体外部から見たときの各色の明るさを合わせることができる。
【００１５】
また、本発明は、前記導光体の中心から外れているＬＥＤに流れる電流を導光体の中心に発光部分が一致するように配したＬＥＤに流れる電流よりも大きくすることにより、各色が同時発光ではなく別々に発光している時に、筐体外部から見たときの各色の明るさを合わせることができる。
【００１６】
さらに、本発明は、それぞれ独立したパッケージを持つ２色以上のＬＥＤと、前記ＬＥＤの光を筐体外部に導く導光体とを用いて、前記ＬＥＤ単体の色または複数のＬＥＤを発光させてその発光色を混合して別の色を発光するようにしたもので、色の異なる発光素子からなる２色以上のＬＥＤのうち一つの色のＬＥＤの発光部分を導光体の中心に一致する位置に配置し、他方の色のＬＥＤは導光体の中心から少し外れた位置に設けることにより、それぞれ独立したパッケージのＬＥＤを組み合わせることにより既存の組合せ色以外の色を発光させることができる。
【００１７】
さらに、本発明は、それぞれ独立したパッケージを持つ２色以上のＬＥＤと、前記ＬＥＤの光を筐体外部に導く導光体とを用いて、前記ＬＥＤ単体の色または複数のＬＥＤを発光させてその発光色を混合して別の色を発光するようにしたもので、色の異なる発光素子からなる２色以上のＬＥＤのうち一つの色のＬＥＤの発光部分を導光体の中心に一致する位置に配置し、他方の色のＬＥＤは導光体の中心から少し外れた位置に設けたことを特徴とする２色ＬＥＤ表示構造を備えた電子機器であり、２色以上のＬＥＤを同時発光させた時に、均一に混じった色を表示しつつ、前記電子機器を薄型の構成にすることができる。
【００１８】
以下、本発明の実施の形態を、図１を参照して詳細に説明する。
【００１９】
（実施の形態）
図１は本発明の実施の形態に係るＬＥＤと導光体の位置関係を示す情報処理装置の断面図である。
【００２０】
図１に示すように、プリント基板１０１上にＬＥＤ１０２、１０３、１０４が実装されている。ＬＥＤ１０２、１０３、１０４の光を筐体外部に導くための導光体１０５、１０６、１０７が筐体１０８に取りつけられている。
【００２１】
各ＬＥＤは一つのパッケージの中に２つの異なった色を発光する発光体からなるものとする。ＬＥＤは電気的な接続を行なうために各種回路を搭載したプリント基板上に実装され、ＬＥＤの発光は導光体の中を透過し、あるいは導光体の壁面を反射することにより筐体外部に露出した部分に導かれ、導光体の筐体から露出した部分を目視することによりＬＥＤの表示を見ることができる。
【００２２】
光源である２色発光ＬＥＤの発光部分のうち片方、例えば緑の部分が導光体の中心に一致する位置に配置し、もう一方の赤色の発光部分は導光体のエッジ部分に位置するように設ける。
【００２３】
緑色を発光する場合は、ＬＥＤ１０４の発光部分を導光体１０７の中心に位置させた場合で説明する。ＬＥＤ１０４の発光部分は導光体１０７の中心に位置するため、導光体の露出する部分の中心と光源、あるいは端部と光源との距離差が少なく露出している部分での輝度が均一な明るさで見える。
【００２４】
次に赤色を発光する場合について、ＬＥＤ１０２と導光体１０５の場合で説明する。ＬＥＤ１０２は導光体１０５のエッジ部分に対応する位置で発光しているため、発光部分と導光体の露出している部分の距離差があり、導光体の中を直接透過してくる光は露出部分においてむらが生じる。一方、ＬＥＤ１０２から離れた端面では導光体１０５の側面で反射した光が多くなるため露出している表面での輝度は均一となって見える。
【００２５】
赤と緑を同時発光の場合はＬＥＤ１０３と導光体１０６とで示すとおり、夫々の光がむらなく見えるため均一な表示となる。
【００２６】
ただし、赤色を発光するＬＥＤからの赤色光は、ＬＥＤからの直接光だけでなく導光体端面での反射光によるため、導光体の露出している部分における輝度は若干低下する傾向にある。これを防ぐため、導光体のエッジ部分に設けるＬＥＤは発光部分が導光体の中心に一致する位置に配したＬＥＤよりも輝度の高いものを用いるのか、あるいは発光部分が導光体の中心に一致する位置に配したＬＥＤよりも印加する電流を多くすることにより明るさを合わせる。
【００２７】
この構成によれば、ＬＥＤ１０２やＬＥＤ１０４のように各色を別々で発光させている時は、筐体外部からは従来と同様の見え方をしており、さらにＬＥＤ１０３のように両色が発光しているときは、筐体外部からは緑がベースで、薄く赤み掛かった色、すなわちオレンジ色に見えて２色が別々に見えてしまうことは無い。
【００２８】
なお、これらの説明は赤色と緑色の２色の発光体を一つのパッケージに収めたＬＥＤで説明したが、各色のＬＥＤがそれぞれ独立したパッケージに収められてそれらのＬＥＤの光を一つの導光体で筐体外部に導く場合についても同様である。さらに３色以上のＬＥＤを設ける場合もそのうちの最も輝度の低いものを導光体の中央に設け、それ以外のＬＥＤを導光体の端部に位置することにより同様の効果が得られる。
【００２９】
【発明の効果】
以上詳述したように、本発明によれば、２色ＬＥＤの各色が別々に発光している時は筐体外部から見たときの各色の明るさを合わせることができ、また、２色ＬＥＤの両方が発光している状態では、ユーザーが装置の外部からＬＥＤ表示を見たときに、一つの導光体を通して見える光は２色が別々に見えることは無く、均一に混ざった違和感のない色になるという有益なものである。
【図面の簡単な説明】
【図１】  本発明の実施の形態に係るＬＥＤと導光体の位置関係を示す情報処理装置の断面図
【図２】  従来の情報処理装置のＬＥＤと導光体の位置関係を示す断面図
【図３】  従来の薄型情報処理装置のＬＥＤと導光体の位置関係を示す断面図
【符号の説明】
１０１  プリント基板
１０２  赤色のみ発光しているＬＥＤ
１０３  赤色、緑色とも発光しているＬＥＤ
１０４  緑色のみ発光しているＬＥＤ
１０５、１０６、１０７  短い導光体
１０８  情報処理装置の筐体
２０１  プリント基板
２０２  赤色、緑色とも発光しているＬＥＤ
２０３  緑色のみ発光しているＬＥＤ
２０４、２０５  長い導光体
２０６  情報処理装置の筐体
３０１  プリント基板
３０２  赤色、緑色とも発光しているＬＥＤ
３０３  緑色のみ発光しているＬＥＤ
３０４、３０５  短い導光体
３０６  情報処理装置の筐体
【図１】
0004576645.tif 000002
【図２】
0004576645.tif 000003
【図３】
0004576645.tif 000004